(57)【要約】【課題】吸着材を長期使用可能と成すと共に、吸引力均等化、取扱性向上を図る。【解決手段】内部に所定間隔の吸引流路８を有する様にして内箱９を取付けた外箱７の一側に吸引流路８と連通する連結箱４を設け、該連結箱４の下方に排気ダクト２８を連結すると共に、連結箱４の吸引開口部３２に上方閉塞の略円筒状でメタルフォーム製の油脂吸着体３５を載置することによって、連結箱４（脱脂ボックス３０）から油脂吸着体３５を着脱して、吸着材３６、３６ａ　を洗浄・再利用し、又油脂吸着体３５は上下２段で下方小径の円筒状の吸着材３６、３６ａ　と成すことによって、洗浄保管時に油脂吸着体３５を積み上げ、更に、下段の吸着材３６が小径であるため内箱９と油脂吸着体３５の接近個所に通過流路３３を設定し、調理部３の排ガスを均等に吸引する。【選択図】　　　　図３
2004141206.tif 000002
【特許請求の範囲】
【請求項１】
外箱の内部に所定間隔の吸引流路を有する様にして内箱を取付けると共に、外箱の一側に吸引流路と連通する連結箱を設け、該連結箱の下方に排気ダクトを連結すると共に、連結箱の吸引開口部に上方閉塞の略円筒状でメタルフォーム製の油脂吸着体を載置し、該油脂吸着体は上下２段の円筒状の吸着材と成すと共に、下方の吸着材を小径と成したことを特徴とする無煙ロースターの油脂回収装置。
【請求項２】
上下方底板上に上下の吸着材を夫々載置すると共に、吸着材の内側に堰板を夫々設けたことを特徴とする請求項１記載の無煙ロースターの油脂回収装置。
【請求項３】
油脂吸着体の上方開口部を閉塞するキャップを陥没状態と成したことを特徴とする請求項１又は２記載の無煙ロースターの油脂回収装置。
【発明の詳細な説明】
【０００１】
【発明の属する技術分野】
本発明は、肉、野菜等を加熱調理し、焼煙を含む排ガス等を吸引して無煙化するロースターに関し、特に、ロースター本体内の排気流路に設けた油脂吸着体で油脂を回収する様にした無煙ロースターの油脂回収装置に関する。
【０００２】
【従来の技術】
従来、図１１に示す様に、多人数で焼肉調理しながら飲食する無煙ロースター（例えば、特許文献１参照）は、矩形状テーブルａの略中央に調理部ｂが配置されると共に、テーブルａの下面側に配置された排気流路ｃ、浄化装置ｄ等の周囲にキャビネットｅが設けられているため、調理飲食者の調理着席状況からテーブルａ及びキャビネットｅ等の大きさに制限があった。
又、キャビネットｅ内で調理部ｂの外側で内箱ｆと外箱ｇの間の吸引流路ｈに連通させた連結箱ｉ（脱脂ボックス）を設けているため、連結箱ｉの大きさにも制限があり、更に、吸引作用を有する排気流路ｃの断面円形の排気ダクトｊは必要吸引量を確保するために、相当の口径を必要としていた。
連結箱ｉ内で排気ダクトｊに連通状態の油脂吸着体ｋは圧力損失の関係から容量大が好適であり、又調理部ｂが円形の時には、排気ダクトｊとトッププレートｌの吸引孔ｍの間に連結箱ｉおよび油脂吸着体ｋを設けた場合に、調理部ｂに対する円周上で均等吸引力を作用させることが好適である。
上記各種制限等から、連結箱ｉに収納した油脂吸着体ｋは円筒形であると共に、油脂吸着体ｋの一側はドレンパン兼用の内箱ｆに接近せざるを得なかった。
【０００３】
調理時に発生する排ガスの吸引状態としては、排気ダクトｊ、連結箱ｉ、内外箱ｆ、ｇ間の吸引流路ｈ、トッププレートｌの吸引孔ｍを介した吸引作用により、トッププレートｌの全周に配置された吸引孔ｍから吸引（図中、矢印Ａ）された排ガスは、外箱ｇと内箱ｆ間の吸引流路ｈを降下（図中、矢印Ｂ）すると共に、連結箱ｉ設置の水平方向（図中、矢印Ｃ）に円弧状に流通する。
連結箱ｉに近い位置Ｄの排ガスは、油脂吸着体ｋの周囲空間および上方空間を通過して遠い位置Ｅへの回り込みが比較的容易である一方、連結箱ｉに遠い位置Ｆで吸引流路ｈ下方から連結箱ｉ設置方向へ円弧流通する排ガスは、油脂吸着体ｋと内箱ｆが接近している位置Ｇへ流通する傾向があり、当該位置Ｇは流通空間が狭いため吸引力が比較的弱い傾向があった。
従って、連結箱ｉ内における油脂吸着体ｋを介した多少の吸引力差は、内外箱ｆ、ｇ間の吸引流路ｈの下方部に伝播し、連結箱ｉに遠い位置Ｆにおける吸引力の相対低下を招来し、円形のトッププレートｌの吸引孔ｍを介した排ガスの吸引力に不均等が発生した。
尚、上記欠点は油脂吸着体ｋが新品の時に発生する傾向があり、相当時間使用後には上記欠点は解消傾向である一方、圧力損失が増加する傾向があった。
【０００４】
又、ロースター排ガスの排気流路に設置（例えば、ロースター内装、排気ダクト中間設置）する油脂吸着体ｋとしては、通気浄化式の他、吸着材ｎを使用したものがあった（例えば、上記特許文献１、詳細構造としては特許文献２参照）。油脂吸着体ｋの構造としては、内外２重円筒体で全体的に通気自在なリング状の収納体ｏに多数の粒体状無機質（セラミック製）吸着材ｎを収納したものであった。
【０００５】
無煙ロースターの使用によって、吸引された排ガスは油脂が吸着材ｎに吸着されて浄化される一方、吸着材ｎは吸着能力が徐々に低下していた。
従って、吸着材ｎは使用限度を確認して交換する、即ち、吸着材ｎは使い捨ての消耗品であった。
更に、相当数の無煙ロースターを設置した店舗では、個々のロースターの吸着材ｎの吸着能力、交換時期の管理を実行している処は少ないのが実情であり、継続使用可能な吸着材ｎも一斉に交換されるのが一般的であり、無駄な交換も行われていた。
【０００６】
尚、排ガスを浄化する構成要件に求められる機能等としては、浄化機能の他、交換性、省スペースに優れたものが望まれていた。
上記従来技術のものでは、分離自在な内外２重円筒体であったため、この点に関しては十分満足できるものであった。
【０００７】
【特許文献１】
特開２０００−２５４００８号公報
【特許文献２】
特開平１１−１５６１２７号公報
【０００８】
【発明が解決しようとする課題】
本発明は、油脂吸着材を長期使用可能と成すと共に、吸引力均等化、取扱性向上を図る様にした無煙ロースターの油脂回収装置を提供する。
【０００９】
【課題を解決するための手段】
本発明は、上記従来技術に基づく、セラミック製吸着材は消耗品のため、交換、維持管理に経費が嵩む課題、排ガス吸引作用の均等化が必要であった課題、取扱性良好なものが要望されている課題に鑑み、外箱の内部に所定間隔の吸引流路を有する様にして内箱を取付けると共に、外箱の一側に吸引流路と連通する連結箱を設け、該連結箱の下方に排気ダクトを連結すると共に、連結箱の吸引開口部に上方閉塞の略円筒状でメタルフォーム製の油脂吸着体を載置することによって、連結箱（脱脂ボックス）から油脂吸着体を着脱して、メタルフォーム製の吸着材を洗浄・再利用し、又油脂吸着体は上下２段の円筒状の吸着材と成すと共に、下方の吸着材を小径と成すことによって、洗浄保管時に油脂吸着体を積み上げ、更に、下段の吸着材が小径であるため内箱と油脂吸着体の接近個所に通過流路を設定し、調理部の排ガスを均等に吸引する様にして、上記課題を解決する。
【００１０】
【発明の実施の形態】
以下、本発明の一実施例を図面に基づいて説明する。
図１〜４に示す様に、１は排ガスを床ＦＬ下から屋外排気するダクト式無煙ロースターの本体であり、テーブル２の略中央位置に上部が調理部３に開口し、一側部が連結箱４の流入口５に連通開口した排気部６を有する外箱７を嵌合支持し、該外箱７の内部に所定間隔の吸引流路８を外箱７との間に有する様にして内箱９を取付けている。
【００１１】
上記外箱７と内箱９は共に円形状であり、外箱７の外周上部をフランジ１０を介してテーブル２中央に固定している。
又、図２、３に示す様に、外箱７の底部中央に開口部１１を設けると共に、底板の開口端縁部１２を上方立設状態で折曲し、更に、内箱９の下方部に一体形成したドレンパン１３の中央部に開口部１４を設けると共に、底板の開口端縁部１５を上方立設状態で折曲し、外箱７の底板上にドレンパン１３の底板を載置すると共に、ドレンパン１３の開口端縁部１５が外側で外箱７の開口端縁部１２と同心円上に配置している。
【００１２】
１６は環状のトップリングであり、該トップリング１６は、外箱７と内箱９間（吸引流路８）の上方開口部を傾斜状に被冠閉塞する天板部１７と、外箱７及び内箱９（フランジ１０）への着座部を一体形成し、トップリング１６の天板部１７全周にわたり吸引流路８に連通する所定数の吸気孔１８、１８ａ…を貫設している。
【００１３】
又、上記の様に、内箱９の内底部を水が貯溜されるドレンパン１３と成す一方、外箱７の開口部９の下方にバーナー受け１９を取り付けると共に、該バーナー受け１９上にバーナー２０の下部を載置している。
バーナー２０の上部はドレンパン１３の開口端縁部１５上方に突出させ、その近傍に遠隔操作装置２１に連繋された点火装置２２及び立ち消えセンサー等を垂設状態で立設している。
【００１４】
又、内箱９上方に設けた載置部２３上に炭壺２４を配設し、該炭壺２４の上方に金網等の調理物載置具２５を載置すると共に、炭壺２４の下方に載置したサナ２６上に木炭２７、２７ａ　…を載置している。
尚、バーナー等の加熱具や調理物載置具２５は実施例以外のものでも勿論良い。
【００１５】
図３、４に示す様に、床ＦＬ下から立設した排気ダクト２８の上端に調整ボックス２９を取付けると共に、外箱７内側の吸引流路８と調整ボックス２９を連通連結している連結箱４を脱脂ボックス３０と成し、外箱７及び脱脂ボックス３０等はキャビネット３１内に配置されている（図２参照）。
外箱７、吸引流路８、脱脂ボックス３０の関係を詳細に説明すると、図３、５、６に示す様に、連結箱４の底面に円筒体を上方突出させた吸引開口部３２が位置し、外箱７と連結箱４の連結個所近傍では、平面視で調整ボックス２９の吸引開口部３２と外箱７内側の吸引流路８が若干重なり、連結箱４の外形は後述の通過流路３３分だけ吸引開口部３２より大径である。
又、連結箱４の径と外箱７の径には相違があるため、両者の連結部である流入口５及び排気部６の位置においては、両者の接線位置を側壁３４、３４ａ　と成している。
そして、外箱７と一体化した連結箱４（脱脂ボックス３０）の内部に、該連結箱４内壁面及び内箱９外壁面との間、並びに上方に通過流路３３を有する様に、排ガスが通過自在な中空円筒状の油脂吸着体３５を取付け、又連結箱４の側壁３４、３４ａ　の内部で内箱９と油脂吸着体３５の接近個所の両側空間も通過流路３３と成している。
【００１６】
図３、４に示す様に、調整ボックス２９の吸引開口部３２上に通気性を有する略円筒状の油脂吸着体３５が載置され、該油脂吸着体３５は直径相違の円筒状の吸着材３６、３６ａ　を上下２段と成し、下方小径の吸着材３６を調整ボックス２９の吸引開口部３２に載置され、上方の吸着材３６ａ　をキャップ３７で通気閉塞している。
吸着材３６、３６ａ　は通気性を有すると共に洗浄剤に対して化学的に安定なニッケル製又はニッケル合金製のメタルフォームであり、詳細としては、図１０に示す様に、三次元網状骨格構造で表裏面での連通細孔を多数有したものである。
【００１７】
図７、８に示す様に、上下２段の吸着材３６、３６ａ　は一体化されており、リング状の下方底板３８上に下方小径のリング状の吸着材３６が載置されると共に、該吸着材３６のリング状の上方閉塞板３９を一体的に外方延出してリング状の上方底板４０を設け、該上方底板４０上に上方大径のリング状の吸着材３６ａ　が載置されると共に、該吸着材３６ａ　にリング状の上方閉塞板４１を設けている。
そして、下方底板３８と上方閉塞板３９、該上方閉塞板３９と一体化した上方底板４０と上方閉塞板４１は垂設方向のステー４２、４２ａ　…、４３、４３ａ　…で夫々一体化され、上方のステー４３、４３ａ　…には回動自在な把手４４を設け、上方の上方閉塞板４１上に中央陥没状態のキャップ３７を載置している。
脱脂ボックス３０の吸引開口部３２となる突出円筒体の周囲は油留部４５と成すと共に、吸着材３６、３６ａ　で回収した油脂を油留部４５へ流下させるべく、吸着材３６の下方底板３８にあっては、内周縁を上方折曲して堰板４６と成し、吸着材３６ａ　の上方底板４０にあっては、ステー４２、４２ａ　…と上方閉塞板３９の連結補強板４７の外周縁を上方折曲して、吸着材３６ａ　の内周側に堰板４８を形成すると共に、上方底板４０の適宜個所に流下孔４９を設けている。
尚、下方底板３８の外周縁を下方折曲して吸引開口部３２への載置安定化を図っている。
【００１８】
図３に示す様に、調整ボックス２９にあっては、上方の連結箱４に取り付けられた内筒と下方の排気ダクト２８に取り付けられた外筒の２重構造の重層円筒体からなり、上方筒と下方筒間にはスプリング５０を介在させて排気ダクト２８に対するロースター本体１の連結高さ調節の容易化を図っている。
尚、調整ボックス２９の上方筒には外気を吸入可能な空気調節孔を設け、排気ダクト２８に連結する調整ボックス２９の下部に防火ダンパー５１を設けている。
【００１９】
次に本発明に係る無煙ロースターの油脂回収装置の作用について説明する。
図３、５、６に示す様に、排気ダクト２８に作用する吸引力により、ロースター本体１内の調理物載置具２５近傍から立ち上がる焼煙、油粒子等のミストを含む排ガスは、トップリング１６の吸気孔１８、１８ａ　…から吸引されて吸引流路８を流通し、吸引流路８と連通した連結箱４（通過流路３３）に至り、油脂吸着体３５外側の通過流路３３から油脂吸着体３５の内部へ流入する。
そして、油脂吸着体３５における吸着材３６、３６ａ　の連続細孔を複雑に屈曲して流通し、油脂吸着体３５からの出口で略下方へ屈曲する。
【００２０】
本発明の特徴的な排ガスの流通状態を図３、５、６に示しており、図中、矢印Ａで示す様に、連結箱４に近い位置の排ガスはトップリング１６からの吸引後、吸引流路８から油脂吸着体３５の上部を通って連結箱４の端部側（流入口５から遠い位置）へ流通し、図中、矢印Ｂで示す様に、連結箱４に遠い位置の排ガスはトップリング１６からの吸引後、吸引流路８内を降下し連結箱４方向へ円周水平方向に流通する。
そして、連結箱４に近づいた位置では流入口５、排気部６が広断面積であるため、連結箱４の端部側へ一部が流動すると共に、図中、矢印Ｃで示す様に、油脂吸着体３５と内箱９の接近位置の通過流路３３にも流通し、油脂吸着体３５から排気ダクト２８へ吸引される。
上方の吸着材３６ａ　においては、油脂吸着体３５と内箱９の接近位置での流通量は若干減少するが、大径で合計流通量を増加している。
【００２１】
そして、油脂吸着体３５の吸着材３６、３６ａ　に回収された油脂は堰板４６、４８により調整ボックス２９内に落下せずに、下方吸着材３６の油脂は下方底板３８から外側に、上方吸着材３６ａ　の油脂は上方底板４０の流下孔４９から下方に、夫々流下して油留部４５に溜まる。
【００２２】
次に、所定時間使用時の清掃作業を説明する。
トップリング１６、調理物載置具２５は、そのまま上方に引出し、次に、ドレンパン１３を兼用一体化した内箱９を上方に引き出し、外された構成部品を清掃したり、外箱７の内面を清掃する。
外箱７及び内箱９等の外側に配設された油脂吸着体３５の保守時には、吸引開口部３２となる突出円筒体から外れる様に、油脂吸着体３５を若干持ち上げた後、連結箱４から外箱７の内部に水平方向に引出し、外箱７から外部上方に取り出し、油脂吸着体３５を清掃する。
【００２３】
図９に示す様に、ロースター本体１から外された油脂吸着体３５は、積み上げて洗浄剤による漬け置きを行ったり、備品として保管する。
即ち、上下２段の吸着材３６、３６ａ　は、上方の吸着材３６ａ　の内径より下方の吸着材３６の外径が小さいことにより、積み上げ時には上方の吸着材３６ａ　内に下方の吸着材３６が収納状態となる。
【００２４】
尚、本発明の実施例として屋外排気方式を示したが、ロースター本体１内部において、排気ダクト２８の下流に排ガス浄化装置を設けて屋内排気するロースターにも勿論適用出来る。
【００２５】
【発明の効果】
要するに本発明は、外箱７の内部に所定間隔の吸引流路８を有する様にして内箱９を取付けると共に、外箱７の一側に吸引流路８と連通する連結箱４を設け、該連結箱４の下方に排気ダクト２８を連結したので、排気ダクト２８の吸引作用は連結箱４、吸引流路８を介して調理部３に作用し、調理時に発生する排ガスを吸引することが出来る。
又、連結箱４の吸引開口部３２に上方閉塞の略円筒状でメタルフォーム製の油脂吸着体３５を載置したので、連結箱４（脱脂ボックス３０）から油脂吸着体３５を着脱することにより、メタルフォーム製の吸着材３６、３６ａ　を洗浄して再利用することが出来、又油脂吸着体３５は上下２段の円筒状の吸着材３６、３６ａ　と成すと共に、下方の吸着材３６を小径と成したので、洗浄保管時に油脂吸着体３５を積み上げることにより、洗浄槽の小型化、保管場所の省スペース化を図ることが出来、更に、下段の吸着材３６が小径であるため内箱９と油脂吸着体３５の接近個所に通過流路３３を設定することにより、トップリング１６等を介した調理部３への吸引作用を均等化することが出来ると共に、上段の吸着材３６ａ　を大径として必要通気量を確保することが出来る。
【００２６】
上下方底板３８、４０上に上下の吸着材３６、３６ａ　を夫々載置すると共に、吸着材３６、３６ａ　の内側に堰板４６、４８を夫々設けたので、油脂吸着体３５の吸着材３６、３６ａ　で回収した油脂は堰板４６、４８で内方流動が阻止されて、脱脂ボックス３０の油留部４５内に貯留され、調整ボックス２９、排気ダクト２８内への落下を防止することが出来る。
【００２７】
油脂吸着体３５の上方開口部を閉塞するキャップ３７を陥没状態と成したので、上方の吸着材３６ａ　の内部流路を下方向きとすることにより、外部の水平流を内部下方の降下流にスムーズに案内することが出来たり、通気を案内制限して上下の吸着材３６、３６ａ　の通気断面積の相違を調整することが出来る等その実用的効果甚だ大である。
【図面の簡単な説明】
【図１】本発明に係る無煙ロースターの要部平面図である。
【図２】図１のＡ−Ａ断面図である。
【図３】図２の要部断面図である。
【図４】図１のＢ−Ｂ断面図である。
【図５】図３のＣ−Ｃ断面図である。
【図６】図３のＤ−Ｄ断面図である。
【図７】油脂吸着体の正面図である。
【図８】図７の断面図である。
【図９】油脂吸着体の積み重ね状態を示す図である。
【図１０】吸着材（メタルフォーム）の模式図である。
【図１１】従来の無煙ロースターの断面図である。
【符号の説明】
４　　　　連結箱
７　　　　外箱
８　　　　吸引流路
９　　　　内箱
２８　　　　排気ダクト
３２　　　　　　　吸引開口部
３５　　　　　　　　油脂吸着体
３６、３６ａ　　　吸着材
３７　　　　　　　　キャップ
４６　　　　堰板
４８　　　　堰板
【図１】
2004141206.tif 000003
【図２】
2004141206.tif 000004
【図３】
2004141206.tif 000005
【図４】
2004141206.tif 000006
【図５】
2004141206.tif 000007
【図６】
2004141206.tif 000008
【図７】
2004141206.tif 000009
【図８】
2004141206.tif 000010
【図９】
2004141206.tif 000011
【図１０】
2004141206.tif 000012
【図１１】
2004141206.tif 000013